(57)【要約】【課題】  複数枚の原稿の読取画像を所望の分割単位で容易にかつ効率的に指定された送信先へ送信することができる画像処理装置及びその制御方法、プログラムを提供する。【解決手段】  スキャナ部１０４は、給紙機構にセットされた原稿を順次読み取る。読み取った読取画像を所定のファイルに追加する形で記憶部１０２に記憶する。給紙機構にセットされた原稿を読み取った場合の読取原稿数を示す読取単位情報を生成する。給紙機構にセットされた原稿の読取の完了後、読取終了が指示されない限り、給紙機構に原稿がセットされる毎に、スキャナ部１０４による読取と、記憶部１０２に対する記憶及び読取単位情報の生成を実行する。一方、読取終了が指示された場合、記憶部１０２に記憶されている所定のファイル中の読取画像を、生成された読取単位情報に基づいて分割する。分割された読取画像それぞれを、指定されたファイルフォーマットのファイルに変換する。そして、変換された各ファイルを指定された送信宛先へ送信する。【選択図】  図１
2005167938.tif 000002
【特許請求の範囲】
【請求項１】
原稿を読み取って得られる読取画像を指定された送信先へ送信する画像処理装置であって、
給紙機構を有し、該給紙機構にセットされた原稿を順次読み取る読取手段と、
前記読取手段で読み取った読取画像を所定のファイルに追加する形で記憶する記憶手段と、
前記読取手段の給紙機構にセットされた原稿を読み取った場合の読取原稿数を示す読取単位情報を生成する生成手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶及び前記生成手段による生成を実行する制御手段と、
前記指示手段による前記読取手段による読取終了が指示された場合、前記記憶手段に記憶されている前記所定のファイル中の読取画像を、前記生成手段で生成された読取単位情報に基づいて分割する分割手段と、
前記分割手段で分割された読取画像それぞれを、指定されたファイルフォーマットのファイルに変換する変換手段と、
前記変換手段で変換された各ファイルを指定された送信宛先へ送信する送信手段と
を備えることを特徴とする画像処理装置。
【請求項２】
原稿を読み取って得られる読取画像を指定された送信先へ送信する画像処理装置であって、
給紙機構を有し、該給紙機構にセットされた原稿を順次読み取る読取手段と、
前記読取手段で読み取った読取画像を１ファイルとして記憶する記憶手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶を実行する制御手段と、
前記指示手段による前記読取手段による読取終了が指示された場合、前記記憶手段に記憶されている各ファイルを、指定されたファイルフォーマットのファイルに変換する変換手段と、
前記変換手段で変換された各ファイルを指定された送信宛先へ送信する送信手段と
を備えることを特徴とする画像処理装置。
【請求項３】
前記ファイルフォーマットを指定する第１指定手段と、
前記送信宛先を指定する第２指定手段と
を更に備えることを特徴とする請求項１又は２に記載の画像処理装置。
【請求項４】
前記送信手段は、複数種類のデータ送信部から構成される
ことを特徴とする請求項１又は２に記載の画像処理装置。
【請求項５】
操作画面を表示する操作手段を更に備え、
前記指示手段は、前記操作手段の操作画面上で生成される
ことを特徴とする請求項１又は２に記載の画像処理装置。
【請求項６】
原稿を読み取って得られる読取画像を指定された送信先へ送信する画像処理装置の制御方法であって、
給紙機構にセットされた原稿を順次読み取る読取工程と、
前記読取工程で読み取った読取画像を所定のファイルに追加する形で記憶媒体に記憶する記憶工程と、
前記給紙機構にセットされた原稿を読み取った場合の読取原稿数を示す読取単位情報を生成する生成工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程と、
前記指示工程による前記読取工程による読取終了が指示された場合、前記記憶媒体に記憶されている前記所定のファイル中の読取画像を、前記生成工程で生成された読取単位情報に基づいて分割する分割工程と、
前記分割工程で分割された読取画像それぞれを、指定されたファイルフォーマットのファイルに変換する変換工程と、
前記変換工程で変換された各ファイルを指定された送信宛先へ送信する送信工程と
を備えることを特徴とする画像処理装置の制御方法。
【請求項７】
原稿を読み取って得られる読取画像を指定された送信先へ送信する画像処理装置の制御方法であって、
給紙機構にセットされた原稿を順次読み取る読取工程と、
前記読取工程で読み取った読取画像を１ファイルとして記憶媒体に記憶する記憶工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶を実行する制御工程と、
前記指示工程による前記読取工程による読取終了が指示された場合、前記記憶媒体に記憶されている各ファイルを、指定されたファイルフォーマットのファイルに変換する変換工程と、
前記変換工程で変換された各ファイルを指定された送信宛先へ送信する送信工程と
を備えることを特徴とする画像処理装置の制御方法。
【請求項８】
原稿を読み取って得られる読取画像を指定された送信先へ送信する画像処理装置の制御を実現するプログラムであって、
給紙機構にセットされた原稿を順次読み取る読取工程のプログラムコードと、
前記読取工程で読み取った読取画像を所定のファイルに追加する形で記憶媒体に記憶する記憶工程のプログラムコードと、
前記給紙機構にセットされた原稿を読み取った場合の読取原稿数を示す読取単位情報を生成する生成工程のプログラムコードと、
前記給紙機構にセットされた原稿の前記読取工程による読取の完了後、前記読取工程による別の原稿の読取を実行するか、あるいは前記読取工程による読取を終了するかを指示する指示工程のプログラムコードと、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程のプログラムコードと、
前記指示工程による前記読取工程による読取終了が指示された場合、前記記憶媒体に記憶されている前記所定のファイル中の読取画像を、前記生成工程で生成された読取単位情報に基づいて分割する分割工程のプログラムコードと、
前記分割工程で分割された読取画像それぞれを、指定されたファイルフォーマットのファイルに変換する変換工程のプログラムコードと、
前記変換工程で変換された各ファイルを指定された送信宛先へ送信する送信工程のプログラムコードと
を備えることを特徴とするプログラム。
【請求項９】
原稿を読み取って得られる読取画像を指定された送信先へ送信する画像処理装置の制御を実現するプログラムであって、
給紙機構にセットされた原稿を順次読み取る読取工程のプログラムコードと、
前記読取工程で読み取った読取画像を１ファイルとして記憶媒体に記憶する記憶工程のプログラムコードと、
前記給紙機構にセットされた原稿の前記読取工程による読取の完了後、前記読取工程による別の原稿の読取を実行するか、あるいは前記読取工程による読取を終了するかを指示する指示工程のプログラムコードと、
前記指示工程によって前記読取工程による読取終了が指示されない限り、前記給紙機構に原稿がセットされる毎に、前記読取工程による読取と、前記記憶工程による記憶を実行する制御工程のプログラムコードと、
前記指示工程による前記読取工程による読取終了が指示された場合、前記記憶媒体に記憶されている各ファイルを、指定されたファイルフォーマットのファイルに変換する変換工程のプログラムコードと、
前記変換工程で変換された各ファイルを指定された送信宛先へ送信する送信工程のプログラムコードと
を備えることを特徴とするプログラム。
【発明の詳細な説明】
【技術分野】
【０００１】
本発明は、原稿を読み取って得られる読取画像を指定された送信先へ送信する画像処理装置及びその制御方法、プログラムに関するものである。
【背景技術】
【０００２】
スキャナで原稿を読み取った読取画像、もしくは受信機能によって受信した画像を、指定された宛先へ送信する際、指定された画像ファイル形式で画像を送信する画像処理システムが存在する。
【０００３】
このような画像処理システムの例としては、送受信機能を備えるデジタル複合機が挙げられる。このような画像処理システムにおいて、スキャナで読み取った複数ページ分の原稿画像を指定された送信宛先へ送信する場合には、ユーザが指定した適切な画像ファイルフォーマットに変換して送信する。具体的なファイルフォーマットとしては、例えば、ＴＩＦＦ、ＪＦＩＦ、ＰＤＦ等が挙げられる。
【０００４】
また、このような画像処理システムでは、選択された画像ファイルフォーマットが１ファイルに複数ページを持つことが可能なものであれば、送信対象となる全ページを１つのファイルにまとめて送信するか１ページを１ファイルとして送信するかを選択することが可能である。
【特許文献１】特開２００１−３５８８５７号公報
【発明の開示】
【発明が解決しようとする課題】
【０００５】
しかしながら、上記従来技術では、送信対象の画像を全ページまとめて１ファイルとして送信するか、１ページ１ファイルとして送信するかのどちらかしか指定できない。
【０００６】
従って、同じ送信宛先に対して、別々のファイルとして送信したい複数枚の原稿を、一度の処理で送信したい要求に応えることができない。
【０００７】
この場合、ユーザは、所望の分割単位で、それぞれの原稿を同じ送信宛先へ送信する、という操作を繰り返すことになる。
【０００８】
また、これを実現するために、ユーザにあらかじめ分割する分割単位を入力させることも考えられるが、操作が複雑となってしまう。
【０００９】
本発明は上記の課題を解決するためになされたものであり、複数枚の原稿の読取画像を所望の分割単位で容易にかつ効率的に指定された送信先へ送信することができる画像処理装置及びその制御方法、プログラムを提供することを目的とする。
【課題を解決するための手段】
【００１０】
上記の目的を達成するための本発明による画像処理装置は以下の構成を備える。即ち、
原稿を読み取って得られる読取画像を指定された送信先へ送信する画像処理装置であって、
給紙機構を有し、該給紙機構にセットされた原稿を順次読み取る読取手段と、
前記読取手段で読み取った読取画像を所定のファイルに追加する形で記憶する記憶手段と、
前記読取手段の給紙機構にセットされた原稿を読み取った場合の読取原稿数を示す読取単位情報を生成する生成手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶及び前記生成手段による生成を実行する制御手段と、
前記指示手段による前記読取手段による読取終了が指示された場合、前記記憶手段に記憶されている前記所定のファイル中の読取画像を、前記生成手段で生成された読取単位情報に基づいて分割する分割手段と、
前記分割手段で分割された読取画像それぞれを、指定されたファイルフォーマットのファイルに変換する変換手段と、
前記変換手段で変換された各ファイルを指定された送信宛先へ送信する送信手段と
を備える。
【００１１】
上記の目的を達成するための本発明による画像処理装置は以下の構成を備える。即ち、
原稿を読み取って得られる読取画像を指定された送信先へ送信する画像処理装置であって、
給紙機構を有し、該給紙機構にセットされた原稿を順次読み取る読取手段と、
前記読取手段で読み取った読取画像を１ファイルとして記憶する記憶手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶を実行する制御手段と、
前記指示手段による前記読取手段による読取終了が指示された場合、前記記憶手段に記憶されている各ファイルを、指定されたファイルフォーマットのファイルに変換する変換手段と、
前記変換手段で変換された各ファイルを指定された送信宛先へ送信する送信手段と
を備える。
【００１２】
また、好ましくは、前記ファイルフォーマットを指定する第１指定手段と、
前記送信宛先を指定する第２指定手段と
を更に備える。
【００１３】
また、好ましくは、前記送信手段は、複数種類のデータ送信部から構成される。
【００１４】
また、好ましくは、操作画面を表示する操作手段を更に備え、
前記指示手段は、前記操作手段の操作画面上で生成される。
【００１５】
上記の目的を達成するための本発明による画像処理装置の制御方法は以下の構成を備える。即ち、
原稿を読み取って得られる読取画像を指定された送信先へ送信する画像処理装置の制御方法であって、
給紙機構にセットされた原稿を順次読み取る読取工程と、
前記読取工程で読み取った読取画像を所定のファイルに追加する形で記憶媒体に記憶する記憶工程と、
前記給紙機構にセットされた原稿を読み取った場合の読取原稿数を示す読取単位情報を生成する生成工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程と、
前記指示工程による前記読取工程による読取終了が指示された場合、前記記憶媒体に記憶されている前記所定のファイル中の読取画像を、前記生成工程で生成された読取単位情報に基づいて分割する分割工程と、
前記分割工程で分割された読取画像それぞれを、指定されたファイルフォーマットのファイルに変換する変換工程と、
前記変換工程で変換された各ファイルを指定された送信宛先へ送信する送信工程と
を備える。
【００１６】
上記の目的を達成するための本発明による画像処理装置の制御方法は以下の構成を備える。即ち、
原稿を読み取って得られる読取画像を指定された送信先へ送信する画像処理装置の制御方法であって、
給紙機構にセットされた原稿を順次読み取る読取工程と、
前記読取工程で読み取った読取画像を１ファイルとして記憶媒体に記憶する記憶工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶を実行する制御工程と、
前記指示工程による前記読取工程による読取終了が指示された場合、前記記憶媒体に記憶されている各ファイルを、指定されたファイルフォーマットのファイルに変換する変換工程と、
前記変換工程で変換された各ファイルを指定された送信宛先へ送信する送信工程と
を備える。
【００１７】
上記の目的を達成するための本発明によるプログラムは以下の構成を備える。即ち、
原稿を読み取って得られる読取画像を指定された送信先へ送信する画像処理装置の制御を実現するプログラムであって、
給紙機構にセットされた原稿を順次読み取る読取工程のプログラムコードと、
前記読取工程で読み取った読取画像を所定のファイルに追加する形で記憶媒体に記憶する記憶工程のプログラムコードと、
前記給紙機構にセットされた原稿を読み取った場合の読取原稿数を示す読取単位情報を生成する生成工程のプログラムコードと、
前記給紙機構にセットされた原稿の前記読取工程による読取の完了後、前記読取工程による別の原稿の読取を実行するか、あるいは前記読取工程による読取を終了するかを指示する指示工程のプログラムコードと、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程のプログラムコードと、
前記指示工程による前記読取工程による読取終了が指示された場合、前記記憶媒体に記憶されている前記所定のファイル中の読取画像を、前記生成工程で生成された読取単位情報に基づいて分割する分割工程のプログラムコードと、
前記分割工程で分割された読取画像それぞれを、指定されたファイルフォーマットのファイルに変換する変換工程のプログラムコードと、
前記変換工程で変換された各ファイルを指定された送信宛先へ送信する送信工程のプログラムコードと
を備える。
【００１８】
上記の目的を達成するための本発明によるプログラムは以下の構成を備える。即ち、
原稿を読み取って得られる読取画像を指定された送信先へ送信する画像処理装置の制御を実現するプログラムであって、
給紙機構にセットされた原稿を順次読み取る読取工程のプログラムコードと、
前記読取工程で読み取った読取画像を１ファイルとして記憶媒体に記憶する記憶工程のプログラムコードと、
前記給紙機構にセットされた原稿の前記読取工程による読取の完了後、前記読取工程による別の原稿の読取を実行するか、あるいは前記読取工程による読取を終了するかを指示する指示工程のプログラムコードと、
前記指示工程によって前記読取工程による読取終了が指示されない限り、前記給紙機構に原稿がセットされる毎に、前記読取工程による読取と、前記記憶工程による記憶を実行する制御工程のプログラムコードと、
前記指示工程による前記読取工程による読取終了が指示された場合、前記記憶媒体に記憶されている各ファイルを、指定されたファイルフォーマットのファイルに変換する変換工程のプログラムコードと、
前記変換工程で変換された各ファイルを指定された送信宛先へ送信する送信工程のプログラムコードと
を備える。
【発明の効果】
【００１９】
本発明によれば、複数枚の原稿の読取画像を所望の分割単位で容易にかつ効率的に指定された送信先へ送信することができる画像処理装置及びその制御方法、プログラムを提供できる。
【発明を実施するための最良の形態】
【００２０】
以下、本発明の実施の形態について図面を用いて詳細に説明する。
【００２１】
＜実施形態１＞
図１は本発明の実施形態１の画像処理システムの構成を示すブロック図である。
【００２２】
本発明の各実施形態では、画像処理システムとして複合機を例に挙げて説明するが、この複合機と同等の機能を有する機器（例えば、データ送受信機能及び画像読取機能を有するパーソナルコンピュータ等）であれば、これに限定されるものではない。
【００２３】
図１の複合機は、画像形成部１０１、制御部１０２、フィニッシャー１０３、給紙機構を有するスキャナ部１０４、操作部１０５、複数の受信インターフェース（Ｉ／Ｆ）１０６、複数の送信インターフェース（Ｉ／Ｆ）１０７から構成されており、それぞれ専用インターフェースで制御部１０２に接続されている。
【００２４】
尚、画像形成部１０１は、その画像形成機能としては、例えば、レーザビーム方式、インクジェット方式、熱転写方式等の各種方式を利用することが可能である。そして、この画像形成部１０１によって記録媒体上に形成された画像は、フィニッシャー１０３上に出力される。
【００２５】
また、受信インターフェース（Ｉ／Ｆ）１０６及び送信インターフェース（Ｉ／Ｆ）１０７としては、例えば、ネットワークインターフェース、ＦＡＸインターフェース、ＩＥＥＥ１３９４インタフェース、ＵＳＢインターフェース等の各種通信インターフェースを任意に組み合わせて構成することが可能である。
【００２６】
これにより、画像処理システムは、受信インターフェース（Ｉ／Ｆ）１０６及び送信インターフェース（Ｉ／Ｆ）１０７を介して接続されるネットワーク上の外部機器とデータ送受信を行うことが可能である。この外部機器には、画像ファイルサーバやそのクライアントマシン、ストレージデバイス、当該画像処理システムと同機能を有する他の画像処理システムが挙げられる。
【００２７】
尚、画像処理システムが受信インターフェース（Ｉ／Ｆ）１０６及び送信インターフェース（Ｉ／Ｆ）１０７を介して接続するネットワークは、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００２８】
また、制御部１０２は、中央処理部（ＣＰＵ）１０８と、記憶部１０９とから、その主要部が構成されている。
【００２９】
また、操作部１０５は、例えば、表示部とテンキーやボタン等の入力部とから構成され、画像処理システムにおける各種処理を実行するための各種入力を行うことができる。また、操作部１０５は、表示部と入力部とが一体となったタッチパネルで構成されていても良い。
【００３０】
尚、記憶部１０９は、大容量記憶装置として、ハードディスクドライブ、ＤＶＤ−ＲＡＭ／ＲＷドライブ等に加えて、データの作業領域や一時待避領域として機能するＲＡＭ、当該画像処理システムを制御するための各種制御プログラム、パラメータ及び設定データ等を記憶するＲＯＭで構成されている。
【００３１】
実施形態１の画像処理システムでは、スキャナ部１０４に、処理対象の原稿をセットもしくは、操作部１０５から、既に記憶部１０９に保存されている画像を指定し、操作部１０５から送信宛先を選択し、送信を指示する。この画像を送信するための送信プログラムは、送信にあたり、それぞれが必要とする画像変換を行う。
【００３２】
尚、この送信プログラムによる送信形態としては、ＦＡＸ送信、Ｅメール送信、ファイル送信（ＦＴＰやＨＴＴＰ等）等が挙げられる。
【００３３】
次に、実施形態１の画像処理システムが実行する処理（連続読取処理）について、図２を用いて説明する。
【００３４】
図２は本発明の実施形態１の画像処理システムが実行する処理を示すフローチャートである。
【００３５】
まず、操作部１０５から設定された読取時の読取パラメータを、スキャナ部１０４に設定する（ステップＳ２０１）。
【００３６】
尚、読取パラメータは、例えば、読取時のスキャナ部１０４の読取解像度、カラー／モノクロ読取、読取サイズ等がある。
【００３７】
次に、記憶部１０９に新規ファイルを作成する（ステップＳ２０２）。この新規ファイルは、以下のステップＳ２０５でスキャナ部１０４から読み取る原稿の読取画像が逐次追加して構成されるファイルを生成するためのものである。
【００３８】
次に、新規ファイルに設定する読取単位情報を初期化する（ステップＳ２０３）。
【００３９】
尚、この読取単位情報は、スキャナ部１０４にセットされている複数枚の原稿の読取（連続読取）を行う場合に、１回の連続読取で読み取る原稿の総ページ数（読取単位）を示す情報である。
【００４０】
次に、読取単位毎に設定される分割情報を初期化する（ステップＳ２０４）。
【００４１】
尚、分割情報とは、スキャナ部１０４にセットされている複数枚の原稿の読取（連続読取）を複数回実行した場合に、記憶部１０９に記憶されている各連続読取によって得られる読取画像から構成される１つのファイルから、各連続読取単位（原稿の総ページ数）に対応するページ画像を分割するための分割数を示す情報である。
【００４２】
ここで、分割情報の具体例について、図３を用いて説明する。
【００４３】
図３は本発明の実施形態１の分割情報の具体例を示す図である。
【００４４】
図３では、例えば、スキャナ部１０４にセットされている複数枚の原稿の連続読取を３回行った後に得られる分割情報及び読取単位情報を示している。ここで、各連続読取に対する読取単位情報は、この例の場合、まず、１回目の連続読取が「４」であり、２回目の連続読取が「５」であり、３回目の連続読取が「（Ｎ−１０）＋１」である。また、分割情報は「３」となる。
【００４５】
図２の説明に戻る。
【００４６】
続いて、スキャナ部１０４で、スキャナ部１０４の給紙機構にセットされている原稿の読取を実行する（ステップＳ２０５）。次に、読取画像を、ステップＳ２０２で生成した新規ファイルに追加する形式で、記憶部１０９に記憶する（ステップＳ２０６）。この際、読取数を計数する読取カウンタを１インクリメントする。
【００４７】
続いて、中央処理部１０８で、スキャナ部１０４の給紙機構にセットされた原稿をすべて読み取ったか否か判定する（ステップＳ２０７）。
【００４８】
すべての原稿を読み取っていない場合（ステップＳ２０７でＮＯ）、ステップＳ２０５に戻る。一方、すべての原稿を読み取っている場合（ステップＳ２０７でＹＥＳ）、読取カウンタが示す値に基づいて、記憶部１０９に記憶された読取画像に設定される、読取単位情報を更新する（ステップＳ２０８）。図３の例の場合、まず、読取単位情報として、「４」が設定され、次の連続読取によって、「５」が設定され、更に、次の連続読取によって「（Ｎ−１０）＋１」が設定される。
【００４９】
次に、操作部１０５に、新しい原稿をスキャナ部１０４の給紙機構にセットして再読取を行うか、読取を終了して良いか否かを問うダイアログ（連続読取終了ダイアログ）を表示する（ステップＳ２０９）。次に、中央処理部１０８で、連続読取終了ダイアログからの応答が読取終了指示であるか否かを判定する（ステップＳ２１０）。
【００５０】
読取終了指示でない場合（ステップＳ２１０でＮＯ）、ステップＳ２０４に戻り、ユーザは新しい原稿をスキャナ部１０４の給紙機構にセットして、ステップＳ２０４〜ステップＳ。一方、読取終了指示である場合（ステップＳ２１０でＹＥＳ）、記憶部１０９に記憶された読取画像に対する読取単位情報数に対応する分割情報を生成する。そして、その分割情報と読取単位情報に基づいて、記憶部１０９に記憶された読取画像を複数のページ画像群に分割し、各ページ画像群を指定の画像ファイルフォーマットへ変換後、指定された送信宛先へ送信し（ステップＳ２１１）、処理を終了する。
【００５１】
次に、図２のステップＳ２１１の処理の詳細について、図４を用いて説明する。
【００５２】
図４は本発明の実施形態１のステップＳ２１１の処理の詳細を示すフローチャートである。
【００５３】
まず、操作部１０５からの入力に基づいて、記憶部１０９に記憶された読取画像の送信宛先を設定する（ステップＳ３０１）。同様に、操作部１０５からの入力に基づいて、送信時に読取画像を変換する指定（画像）ファイルフォーマットを取得する（ステップＳ３０２）。
【００５４】
尚、送信宛先及びファイルフォーマットの指定は、例えば、操作部１０５上に専用の指定画面を表示することで実現する。
【００５５】
尚、画像ファイルフォーマットとしては、ＰＤＦ、ＪＦＩＦ、ＴＩＦＦ等がある。
【００５６】
続いて、ステップＳ３０１で設定された送信宛先に対して、送信インターフェース１０７を介して通信コネクションを確立する（ステップＳ３０３）。記憶部１０９に記憶されている、送信対象の読取画像に設定されている分割情報の読込を実行する（ステップＳ３０４）。
【００５７】
ステップＳ３０１で設定した送信宛先に対し、分割情報が示す分割数の内、最初に分割する分割単位（読取単位情報）分のページ画像群を１つのファイルとして送信先へ送信するための新規ファイルを生成する（ステップＳ３０５）。図３の例の場合、まず、分割単位として「４」が取得され、次の処理で「５」が所得され、その次の処理で「（Ｎ−１０）＋１」が取得されることになる。
【００５８】
続いて、中央処理部１０８で、送信対象となる読取画像中のページ画像を、ステップＳ３０２で指定されたファイルフォーマットに変換する（ステップＳ３０６）。指定ファイルフォーマットに変換されたページ画像ファイルを、ステップＳ３０５で生成した新規ファイルに追加する形で、ステップＳ３０１で設定された送信宛先に対し送信する（ステップＳ３０７）。
【００５９】
ページ画像ファイルの送信後、中央処理部１０８で、送信ページ画像ファイル数が、分割単位に達したか否かを判定する（ステップＳ３０８）。分割単位に達していない場合（ステップＳ３０８でＮＯ）、ステップＳ３０６に戻る。一方、分割単位に達している場合（ステップＳ３０８でＹＥＳ）、ステップＳ３０５で生成した新規ファイルをクローズする（ステップＳ３０９）。
【００６０】
中央処理部１０８で、分割情報中の各分割単位での全送信対象のページ画像を送信したか否か判定する（ステップＳ３１０）。全送信対象のページ画像を送信していない場合（ステップＳ３１０でＮＯ）、ステップＳ３０５に戻る。
【００６１】
一方、全送信対象のページ画像を送信している場合（ステップＳ３１０でＹＥＳ）、ステップＳ３０３で確立した通信コネクションを切断して（ステップＳ３１１）、処理を終了する。
【００６２】
以上説明したように、実施形態１によれば、読取終了指示が実行されない限り、スキャナ１０４の給紙機構に複数の原稿がセットされて連続読取を実行する毎に、各連続読取で読み取った原稿数を読取単位情報として生成するとともに、各連続読取で得られる一連の読取画像を１つのファイルとして記憶部に記憶する。
【００６３】
そして、このファイル中の読取画像群を、生成した読取単位情報に基づいて、複数のページ画像群に分割して、各ページ画像群に対するファイルを生成して、指定された送信宛先へ送信する。
【００６４】
これにより、送信に係る操作を１回実行するだけで、各連続読取で得られる読取画像群をそれぞれ１つのファイルとして指定された送信宛先へ送信することができる。
【００６５】
＜実施形態２＞
実施形態１では、各連続読取から得られる読取画像に対する読取単位情報を生成し、その読取単位情報を分割単位として参照することで、各連続読取によって得られる一連の読取画像を、ユーザが意図する分割単位のページ画像に分割して送信する構成としたが、これに限定されるものではない。例えば、連続読取を実行する毎に、その連続読取から得られる読取画像からなるファイルを適宜生成して、それらの複数のファイルをファイル単位で送信する構成としても、同様の効果が得られる。
【００６６】
以下、実施形態２の画像処理システムが実行する処理（連続読取処理）について、図５を用いて説明する。
【００６７】
図５は本発明の実施形態２の画像処理システムが実行する処理を示すフローチャートである。
【００６８】
まず、操作部１０５から設定された読取時の読取パラメータを、スキャナ部１０４に設定する（ステップＳ４０１）。記憶部１０９に新規ファイルを作成する（ステップＳ４０２）。
【００６９】
続いて、スキャナ部１０４で、スキャナ部１０４の給紙機構にセットされている原稿の読取を実行する（ステップＳ４０３）。次に、読取画像を、ステップＳ４０２で生成した新規ファイルに追加する形で、記憶部１０９に記憶する（ステップＳ４０４）。
【００７０】
続いて、中央処理部１０８で、スキャナ部１０４の給紙機構にセットされた原稿をすべて読み取ったか否か判定する（ステップＳ４０５）。
【００７１】
すべての原稿を読み取っていない場合（ステップＳ４０５でＮＯ）、ステップＳ４０３に戻る。一方、すべての原稿を読み取っている場合（ステップＳ４０５でＹＥＳ）、記憶部１０９に新規ファイルに追加された形で記憶された読取画像群を送信対象ファイルとして追加する（ステップＳ４０６）。
【００７２】
次に、操作部１０５に、新しい原稿をスキャナ部１０４の給紙機構にセットして再読取を行うか、読取を終了して良いか否かを問うダイアログ（連続読取終了ダイアログ）を表示する（ステップＳ４０７）。中央処理部１０８で、連続読取終了ダイアログからの応答が読取終了指示であるか否かを判定する（ステップＳ４０８）。
【００７３】
読取終了指示でない場合（ステップＳ４０８でＮＯ）、ステップＳ４０２に戻り、新しい原稿の読取画像を追加するための新規ファイルを作成する。
【００７４】
以上のステップＳ４０２〜ステップＳ４０８の処理を繰り返すことで、記憶部１０９には、図６に示すような複数のファイルが記憶されることになる。
【００７５】
一方、読取終了指示である場合（ステップＳ４０８でＹＥＳ）、記憶部１０９に記憶された送信対象ファイルそれぞれを指定の画像ファイルフォーマットへ変換後、指定された送信宛先へ送信して（ステップＳ４０９）、処理を終了する。
【００７６】
次に、図４のステップＳ４０９の処理の詳細について、図７を用いて説明する。
【００７７】
図７は本発明の実施形態２のステップＳ４０９の処理の詳細を示すフローチャートである。
【００７８】
まず、操作部１０５からの入力に基づいて、記憶部１０９に記憶されたファイルの送信宛先を設定する（ステップＳ５０１）。同様に、操作部１０５からの入力に基づいて、送信時にファイルを変換する指定（画像）ファイルフォーマットを取得する（ステップＳ５０２）。
【００７９】
続いて、送信インターフェース１０７を介し、ステップＳ５０１で設定した送信宛先に対して、通信コネクションを確立する（ステップＳ５０３）。記憶部１０９に記憶されているファイル群から、送信対象のファイルを設定する（ステップＳ５０４）。
【００８０】
ステップＳ５０１で設定した送信宛先に対し、送信対象のファイルを１つのファイルとして送信先へ送信するための新規ファイルを生成する（ステップＳ５０５）。
【００８１】
続いて、中央処理部１０８で、送信対象のファイル中のページ画像を、ステップＳ５０２で指定されたファイルフォーマットに変換する（ステップＳ５０６）。指定ファイルフォーマットに変換されたページ画像ファイルを、ステップＳ５０５で生成した新規ファイルに追加する形で、ステップＳ５０１で設定した送信宛先に対し送信する（ステップＳ５０７）。
【００８２】
ページ画像ファイルの送信後、中央処理部１０８で、ステップＳ５０４で送信対象のファイル内の全ページ画像を送信したか否かを判定する（ステップＳ５０８）。全ページ画像を送信していない場合（ステップＳ５０８でＮＯ）、ステップＳ５０６に戻る。一方、全ペー画像ジを送信している場合、ステップＳ５０５で生成した新規ファイルをクローズする（ステップＳ５０９）。
【００８３】
次に、中央処理部１０８で、全送信対象のファイルを送信したか否か判定する（ステップＳ５１０）。全送信対象のファイルを送信していない場合（ステップＳ５１０でＮＯ）、ステップＳ５０４に戻り、記憶部１０９に記憶されているファイル群から、送信対象のファイルを設定して、ステップＳ５０５〜ステップＳ５１０の処理を実行する。
【００８４】
一方、全送信対象のファイルを送信している場合（ステップＳ５１０でＹＥＳ）、ステップＳ５０３で確立した通信コネクションを切断して（ステップＳ５１１）、処理を終了する。
【００８５】
以上説明したように、実施形態２によれば、読取終了指示が実行されない限り、スキャナ部の給紙機構に複数の原稿がセットされる毎に、その原稿の連続読取で得られる読取画像群からなるファイルを生成して、その生成された複数のファイルを指定された送信宛先へ送信する。
【００８６】
これにより、送信に係る操作を１回実行するだけで、各連続読取で得られる読取画像群をそれぞれ１つのファイルとして指定された送信宛先へ送信することができる。
【００８７】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００８８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９０】
その場合、プログラムの機能を有していれば、オブジェクトコード、インタプリタにより実行されるプログラム、ＯＳに供給するスクリプトデータ等の形態であっても良い。
【００９１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００９６】
【図１】本発明の実施形態１の画像処理システムの構成を示すブロック図である。
【図２】本発明の実施形態１の画像処理システムが実行する処理を示すフローチャートである。
【図３】本発明の実施形態１の分割情報の設定例を示す図である。
【図４】本発明の実施形態１のステップＳ２１１の処理の詳細を示すフローチャートである。
【図５】本発明の実施形態２の画像処理システムが実行する処理を示すフローチャートである。
【図６】本発明の実施形態２で生成されるファイルの構成を説明するための図である。
【図７】本発明の実施形態２のステップＳ４０９の処理の詳細を示すフローチャートである。
【符号の説明】
【００９７】
１０１  画像形成部
１０２  制御部
１０３  フィニッシャー
１０４  スキャナ部
１０５  操作部
１０６  受信Ｉ／Ｆ
１０７  送信Ｉ／Ｆ
１０８  中央処理部
１０９  記憶部
【図１】
2005167938.tif 000003
【図２】
2005167938.tif 000004
【図３】
2005167938.tif 000005
【図４】
2005167938.tif 000006
【図５】
2005167938.tif 000007
【図６】
2005167938.tif 000008
【図７】
2005167938.tif 000009